(57)【要約】【課題】フォーカス点およびボケ具合を連携させながら、ユーザの意図する写真を容易に写すことができる撮影装置およびライブビュー画像表示方法を提供する。【解決手段】オートフォーカス前のプレビューイメージにおいて、被写体Ａ１，Ａ２はユーザからみて同じ距離にあり、被写体Ｂ１，Ｂ２はその手前にあり、被写体Ｃは更にその手前にある。ユーザが中心ポイントの被写体Ａ１をフォーカスポイントとして、シャッターを半押しにすると、オートフォーカスおよび自動露出が行なわれる。すなわち、ユーザが中心ポイントの被写体Ａ１にフォーカスを合わせて後、カメラ側では、他の４点、すなわち被写体Ａ２，Ｂ１，Ｂ２，Ｃでも距離測定を行ない、カメラの絞り値（Ｆ値）との関係から、ピントのボケ具合を判断する。そのボケ具合を３Ｄ効果によりユーザに表現する。つまりボケが大きいほど、立体深度を深くしていく。【選択図】図２
2012203352.tif 000002
【特許請求の範囲】
【請求項１】
被写体を撮像する撮像素子と、
前記撮像素子に前記被写体の像を結像するレンズと、
前記レンズの明るさを調節する絞りの絞り値を決定する絞り決定部と、
合焦点を指定するＡＦ制御部と、
自装置から被写体の中における合焦点および他の点までの距離を検出するＡＦ測距部と、
前記ＡＦ測距部で検出された距離と前記絞り値に基づいて、各点の被写界深度を計算する被写界深度演算部と、
前記被写界深度と飛び出し量との相関関係を記憶する変換テーブルと、
前記変換テーブルに基づいて、前記被写界深度演算部で計算された他の点の被写界深度と前記合焦点の被写界深度との差分を飛び出し量に置き換えて、プレビュー画像として生成するプレビュー画像生成部と、
を備えた撮影装置。
【請求項２】
シャッターの半押しが検出された場合に、表示画面の中心点でオートフォーカス／自動露出を行ない、前記表示画面にライブビュー画像を表示する方法であって、
前記表示画面の中心点以外の他のポイントで距測を行なうステップと、
前記各ポイントのボケ量を決定するステップと、
前記各ボケ量に応じて３Ｄ画像を合成／表示するステップと、
を有するライブビュー画像表示方法。
【請求項３】
請求項２記載のライブビュー画像表示方法であって、
シャッターのリリースが検出され、さらに前記表示画面の左右フリックが検出された場合に、絞り値を変更するステップと、
前記表示画面の中心枠のタッチが検出された場合に、前記絞り値を固定したまま、各ポイントの距離差分が最小となるフォーカス点を算出し、フォーカス点を移動するステップと、
前記表示画面の中心枠以外のタッチが検出された場合に、前記絞り値を固定したまま、タッチ箇所にフォーカス点を移動するステップと、
を有するライブビュー画像表示方法。
【請求項４】
請求項３記載のライブビュー画像表示方法であって、
変更した絞り値が一定値以上となった場合に、その超過程度に応じて、３Ｄ画像の一部を動作させ、ユーザに警告を行なうステップ、
を有するライブビュー画像表示方法。
【請求項５】
請求項３記載のライブビュー画像表示方法であって、
前記表示画面の上下フリックが検出された場合に、測距ポイントの領域の大きさを変化させ、前記測距ポイントの数を増減させるステップ、
を有するライブビュー画像表示方法。
【発明の詳細な説明】
【技術分野】
【０００１】
本発明は、撮影装置およびライブビュー画像表示方法に関し、特に、３Ｄレンズを搭載したカメラを用いて、フォーカス点およびボケ具合を連携させながら、ユーザの意図する写真を容易に写すことができる撮影装置およびライブビュー画像表示方法に関する。
【背景技術】
【０００２】
従来、デジタルカメラを用いて被写体の撮影を行なう際、ユーザが被写体の合焦ポイントを指定して撮影できることはよく知られている。しかしながら、合焦したポイント以外の箇所の焦点が合っているか、言い換えるとピントのボケ具合を知るのは困難であった。これは、ピントの合う範囲、つまり被写界深度をライブビューで確認することが困難なことに由来する。
【０００３】
そこで、オートフォーカス終了後のマニュアルフォーカス動作で、被写界深度に応じた撮影効果を簡易に確認するために、撮影時の絞り（Ｆ値）を固定して、ライブビューを表示する（絞り込み測光）技術が知られている（例えば、特許文献１参照）。
【０００４】
被写界深度とは、ピントが合う距離的な広さのことであり、被写界深度が浅いと、距離が異なる２つの被写体のうちどちらかだけにピントが合い、片方はボケてしまう。一方、被写界深度が深いと、近いものと遠いものを一緒に撮影した時、両方にピントが合う。
【０００５】
この被写界深度は、被写体までの距離、絞り値等から算出可能なため、合焦する範囲を数値で表すことが可能である。このため、被写界深度を容易に確認するために、オートフォーカス時に絞り（Ｆ値）、および被写体までの距離から被写界深度を計算し、被写界深度をユーザに報知する技術が知られている。
【０００６】
図７は、表示部７０１の下側に、被写界深度、すなわちピントの合う範囲を表すインジケータ７０２および被写界深度の範囲を文字で表した文字情報７０３を含む画像を被写体の撮像画像上に重ねて表示させたものである（例えば、特許文献２参照）。
【０００７】
また、遠近競合する画像であっても、ユーザの意図通りとなるような合焦状態を実現して撮影を行なうことができるように、ユーザが複数の合焦ポイントを指定し、それらのポイントが全て合焦、またそれらのポイントにより規定されたエリア全体が合焦点するように、絞り（Ｆ値）を計算により設定する方法が知られている。
【０００８】
図８（ａ）は、液晶表示（ＬＣＤ）画面８０２上に指定した複数の合焦ポイント８０１，８０４で合焦できるように、設定するＦ値を変更する例であり、図８（ｂ）は、液晶表示画面８０７上に指定した複数の合焦ポイント８０５，８０９で規定されるエリア８０６を合焦できるように、設定するＦ値を変更する例である（例えば、特許文献３参照）。
【０００９】
また一方で最近の３Ｄ技術では、被写体を立体的に表示したり、その立体角度や立体の深さを変えることが可能となっている。
【先行技術文献】
【特許文献】
【００１０】
【特許文献１】特開２００５−１８４６５７号公報
【特許文献２】特開２００３−３１９２４６号公報
【特許文献３】特許第３６０７２３７号明細書
【発明の概要】
【発明が解決しようとする課題】
【００１１】
デジタルカメラで被写体を撮影する場合、デジタルカメラに搭載された液晶表示画面において実際にプレビューで見える画像と、撮影した画像を印刷もしくは、パソコン（ＰＣ）等により表示した時に見える画像とでは、映り方が違っている。
【００１２】
また、撮影時に被写体にオートフォーカス枠をあててフォーカスを合わせても、プレビュー画像では、オートフォーカス枠以外の箇所がどの程度ボケているか分からず、できあがる写真をイメージして、撮影することができない。
【００１３】
特許文献１に記載された解決法は、撮影時の絞りに対してライブビューで表示することを対策としているが、その場合、Ｆ値を大きくしていくと画面が暗くなり、ボケ具合が分りにくくなったり、実際の明るさとは違うため、意図した写真を取りづらくなる。
【００１４】
また、特許文献２に記載された技術は、オートフォーカス時に絞り値（Ｆ値）、および被写体までの距離から被写界深度を計算して、その被写界深度をユーザに報知するものであり、図７に示すようにカメラからの距離が１０ｃｍ〜３０ｃｍの範囲にピントがあっていることを示すことができるが、実際の写真のイメージが掴みにくい。
【００１５】
また、特許文献３に記載された技術は、ユーザが複数の合焦ポイントを指定し、それらのポイントが全て合焦、またそれらのポイントにより規定されたエリア全体が合焦点するように、絞り値（Ｆ値）を計算により設定するが、選択した合焦ポイントもしくは、それらによって規定されたエリアを合焦することのみであり、選択した合焦ポイント以外の部分、例えば図８における背景８０３，８０８の写り方がどのようになるかユーザには分からない。
【００１６】
本発明は、上記従来の事情に鑑みてなされたものであって、３Ｄレンズを搭載したカメラを用いて、フォーカス点およびボケ具合を連携させながら、ユーザの意図する写真を容易に写すことができる撮影装置およびライブビュー画像表示方法を提供することを目的としている。
【課題を解決するための手段】
【００１７】
本発明の撮影装置は、被写体を撮像する撮像素子と、前記撮像素子に前記被写体の像を結像するレンズと、前記レンズの明るさを調節する絞りの絞り値を決定する絞り決定部と、合焦点を指定するＡＦ制御部と、自装置から被写体の中における合焦点および他の点までの距離を検出するＡＦ測距部と、前記ＡＦ測距部で検出された距離と前記絞り値に基づいて、各点の被写界深度を計算する被写界深度演算部と、前記被写界深度と飛び出し量との相関関係を記憶する変換テーブルと、前記変換テーブルに基づいて、前記被写界深度演算部で計算された他の点の被写界深度と前記合焦点の被写界深度との差分を飛び出し量に置き換えて、プレビュー画像として生成するプレビュー画像生成部と、を備えた撮影装置である。
【００１８】
本発明の撮影装置によれば、複数のポイントの距離を測定し、それが合焦ポイントを基準とした被写界深度に入っているか、また外れている場合は、そのはずれ程度に応じて、３Ｄの深さを変化させることにより、ユーザの意図する写真を容易に写すことができる。
【００１９】
また、本発明のライブビュー画像表示方法は、シャッターの半押しが検出された場合に、表示画面の中心点でオートフォーカス／自動露出を行ない、前記表示画面にライブビュー画像を表示する方法であって、前記表示画面の中心点以外の他のポイントで距測を行なうステップと、前記各ポイントのボケ量を決定するステップと、前記各ボケ量に応じて３Ｄ画像を合成／表示するステップと、を有するライブビュー画像表示方法である。
【００２０】
本発明のライブビュー画像表示方法によれば、ボケ具合という分かり難さを、どの部分がどの程度ボケるのか、またボケの程度が同じ箇所はどこかを明確に認識でき、フォーカス点およびボケ具合を連携させながら、ユーザの意図する写真を容易に写すことができる。
【００２１】
また、本発明のライブビュー画像表示方法は、シャッターのリリースが検出され、さらに前記表示画面の左右フリックが検出された場合に、絞り値（Ｆ値）を変更するステップと、前記表示画面の中心枠のタッチが検出された場合に、前記絞り値（Ｆ値）を固定したまま、各ポイントの距離差分が最小となるフォーカス点を算出し、フォーカス点を移動するステップと、前記表示画面の中心枠以外のタッチが検出された場合に、前記絞り値（Ｆ値）を固定したまま、タッチ箇所にフォーカス点を移動するステップと、を有するライブビュー画像表示方法である。
【００２２】
本発明のライブビュー画像表示方法によれば、ユーザはライブビューイメージを見ながら操作するのみで、カメラの設定を意識することなく、所望の撮影が可能となる。
【００２３】
また、本発明のライブビュー画像表示方法は、変更した絞り値（Ｆ値）が一定値以上となった場合に、その超過程度に応じて、３Ｄ画像の一部を動作させ、ユーザに警告を行なうステップ、を有するライブビュー画像表示方法である。
【００２４】
本発明のライブビュー画像表示方法によれば、ユーザの意図した画像を撮影するために、カメラを固定させる必要があることを注意喚起することで、撮影を確実に行なわせることが可能となる。
【００２５】
また、本発明のライブビュー画像表示方法は、前記表示画面の上下フリックが検出された場合に、測距ポイントの領域の大きさを変化させ、前記測距ポイントの数を増減させるステップ、を有するライブビュー画像表示方法である。
【００２６】
本発明のライブビュー画像表示方法によれば、測距点を増やすことで、撮影画像を分割した部分毎にボケの程度を調整することが可能となる。一方、測距点を減らすことで、大まかにボケの程度を設定することが可能となり、ユーザに設定の自由度を提供することが可能となる。
【発明の効果】
【００２７】
以上説明したように、本発明にかかる撮影装置およびライブビュー画像表示方法によれば、複数のポイントの距離を測定し、それが合焦ポイントを基準とした被写界深度に入っているかを明瞭に認識でき、また外れている場合は、そのはずれ程度に応じて、３Ｄの深さを変化させることにより、ユーザの意図する写真を容易に写すことができる。
【図面の簡単な説明】
【００２８】
【図１】本発明の実施の形態にかかる撮影装置の概略構成を説明するための図である。
【図２】本発明の実施形態においてオートフォーカス前のプレビューイメージおよびオートフォーカス後のプレビューイメージを示す。
【図３】本発明の実施形態においてユーザの意図した撮影ができるように調整する場合の説明図である。
【図４】本発明の実施形態においてシャッター速度が一定の値より遅くなった場合にユーザに警告する場合の説明図である。
【図５】本発明の実施形態においてユーザが画面を上下にフリックし、調整部分の大きさを変化させる場合の説明図である。
【図６】本発明の実施形態にかかるライブビュー画像表示方法を説明するためにフローチャートである。
【図７】従来方法において、被写界深度および文字情報を含む画像を被写体の撮像画像上に重ねて表示した例である。
【図８】従来方法において、ＬＣＤ画面上に指定した複数の合焦ポイントで合焦できるように設定するＦ値を変更する例である。
【発明を実施するための形態】
【００２９】
図１は、本発明の実施の形態にかかる撮影装置の概略構成を説明するための図である。本実施形態の撮影装置は、ライブビュー画像を表示する液晶表示装置（ＬＣＤ）１０１と、タッチおよびフリックに応じてライブビュー画像を調整するためのタッチパネル１０２と、３Ｄ画像を撮影する３Ｄレンズを含むレンズ１０３と、自動露出（ＡＥ）を制御するＡＥ制御部１０４と、オートフォーカス（ＡＦ）における測距を制御するＡＦ制御測距制御部１０５と、測距点までの距離を記憶する測距点距離記憶部１０６と、ＬＣＤ１０１における測距ポイントの数を制御する測距数制御部１０７と、撮影装置の全体を制御する全体制御部１０８と、各測距ポイントの被写界深度を演算部する被写界深度演算部１０９と、タッチパネル１０２に対するタッチジェスチャを解読するタッチジェスチャ解読部１１０と、被写体に対して、設定した絞り値における被写界深度からの隔たり（ズレ量）を、３Ｄの立体深度に置き換えて表示させる３Ｄ画像生成部１１１と、自動計算した絞り値（Ｆ値）が限界値以上となった場合にユーザに警告を行なう基準となる絞り限界値を格納する絞り限界値テーブル１１２と、全体制御部１０８の制御のもとでシャッターを操作するシャッター操作部１１３とを有する。
【００３０】
本実施形態の撮影装置は、被写界深度および、３Ｄ技術を利用してユーザの意図する写真を容易に写すことができるようにするものである。このため、複数のポイントの距離を測定し、それが合焦ポイントを基準とした被写界深度に入っているのか、また外れている場合は、そのはずれ程度に応じて、３Ｄの深さを変化させる。なお、本実施形態の撮影装置では、ライブビューで見える映像は、実際の３Ｄ立体図とは違い、ピンボケの具合が同じ部分が、同じ３Ｄ深度を持つことになる。
【００３１】
本実施形態の撮影装置は、ライブビュー時に、複数の測距点において、設定した絞り値における被写界深度からの隔たり（ズレ量）を、３Ｄの立体深度に置き換えて表示させる。この時、被写界深度とのズレ量が同じ、つまり同じ程度にボケる部分は、同じ量の３Ｄ深度を持たせることとする。なお、３Ｄ深度自体を変化させる技術は既存の技術を利用する。
【００３２】
図２（ａ）は、オートフォーカス前のプレビューイメージを示し、図２（ｂ）は、オートフォーカス後のプレビューイメージを示す。図２（ａ）に示すオートフォーカス前のプレビューイメージにおいて、被写体Ａ１，Ａ２はユーザからみて同じ距離にあり、被写体Ｂ１，Ｂ２はその手前にあり、被写体Ｃは更にその手前にある。
【００３３】
ユーザが中心ポイントの被写体Ａ１をフォーカスポイントとして、シャッターを半押しにすると、オートフォーカスおよび自動露出が行なわれる。すなわち、ユーザが中心ポイントの被写体Ａ１にフォーカスを合わせて後、カメラ側では、他の４点、すなわち被写体Ａ２，Ｂ１，Ｂ２，Ｃでも距離測定を行ない、カメラの絞り値（Ｆ値）との関係から、ピントのボケ具合を判断する（既存技術）。そのボケ具合を３Ｄ効果によりユーザに表現する。つまりボケが大きいほど、立体深度を深くしていく（図２（ｂ）では、手前に３Ｄ深度をとっているが奥にとってもよい）。
【００３４】
本実施形態の撮影装置によれば、ボケ具合という分かり難さを、どの部分がどの程度ボケるのか、またボケの程度が同じ箇所はどこかを明確に認識することができる。従来の技術では、ライブビュー表示部が通常は小さく、視認が難しく、特許文献２では数値のため実際の画像とのイメージがつき難く、特許文献３では合焦点以外のボケ具合が分らないが、本実施形態によれば、フォーカス点およびボケ具合を連携させながら、ユーザの意図する写真を容易に写すことができる。
【００３５】
また、本実施形態の撮影装置は、ユーザが焦点を合わせたい部分や、ボケの程度を変更（調整）した場合、それに相応した絞り値（Ｆ値）を自動計算し、その絞り値にあわせて、３Ｄ立体深度を変化させる。
【００３６】
図３は、図２（ａ）、（ｂ）のステップに対してユーザの意図した撮影ができるように調整する場合の説明図である。基本操作として、液晶表示画面にタッチすると、タッチしたポイントにオートフォーカス（ＡＦ）ポイントが変更され、液晶表示画面をフリックすると絞り値（Ｆ値）設定が変更される。
【００３７】
例えば、図３（ａ）は、図２（ｂ）と同様にオートフォーカス後のプレビューイメージであり、被写体Ａ１，Ａ２はユーザからみて同じ距離にあり、被写体Ｂ１，Ｂ２はその手前にあり、被写体Ｃは更にその手前にあり、各被写体が３Ｄ表示されている。また、被写体Ａ１をフォーカスしているため、被写体Ａ１にフォーカスマーク（黒丸）が表示され、被写体Ａ２，Ｂ１，Ｂ２，Ｃにフォーカス候補マーク（白丸）が表示されている。
【００３８】
フォーカス点を変えたい時は、変更したい箇所をタッチすることでフォーカス点が変わり、相応して３Ｄ深度も全体的に変化する。この場合、絞り値（Ｆ値）は固定されたままであり、ユーザが選択した箇所にオートフォーカス点が変更される。
【００３９】
例えば、図３（ａ）においてフォーカス点を被写体Ｃに変更する場合は、被写体Ｃをタッチすることにより、図３（ｂ）に示すように、被写体Ｃにフォーカス点が移動する。すなわち、被写体Ｃにフォーカスマーク（黒丸）が付き、被写体Ａ１，Ａ２，Ｂ１，Ｂ２にフォーカス候補マーク（白丸）が表示される。
【００４０】
一方、絞り値（Ｆ値）を変更せず、被写体に対して全体的にフォーカスを合わせたい時は、現フォーカス点をタッチすることで、各ポイントができるだけ被写界深度内に入るように自動的にフォーカス点が選択され、相応して３Ｄ深度も全体的に浅くなる。
【００４１】
例えば、図３（ａ）において全体的にフォーカスを合わせたい時は、現フォーカス点である被写体Ａ１をタッチすることで、図３（ｃ）に示すように、自動的にフォーカス点が被写体Ｂ２に選択され、相応して３Ｄ深度も全体的に変化する。
【００４２】
また、フォーカス点を変更せず、被写体に対して全体的にフォーカスを合わせたい、もしくはその逆の時は、画面を左右にフリックすることで、絞り値（Ｆ値）を変化させて、再度オートフォーカス（ＡＦ）を行なう。この場合、図３（ｄ）に示すように、オートフォーカス点はそのまま（被写体Ａ１）であり、絞り値（Ｆ値）が変更される。すなわち、全体的にフォーカスが合うようになり、３Ｄ深度が全体的に浅くなる。
【００４３】
本実施形態の撮影装置によれば、ユーザは、ライブビューイメージを見ながら操作するのみで、カメラの設定を意識させることなく、所望の撮影が可能となる。
【００４４】
また、本実施形態の撮影装置は、ユーザ操作（調整）の結果、自動計算した絞り値（Ｆ値）が一定値以上（大きくなった）となった場合、その超過程度に応じて、３Ｄ画像の一部を動作（回転）させ、ユーザに警告を行なう。
【００４５】
すなわち、絞り値（Ｆ値）を大きくする（全体にピントをあわせる）と、その分シャッター速度が遅くなるため、手振れ問題が発生してくる。このため、ある限度を超えたら、手振れが発生することをユーザに知らしめる。
【００４６】
例えば、図４（ａ）に示すように被写体Ａ１にフォーカスしている場合、シャッター速度が一定の値より遅くなった場合は、被写体Ａ１の立体像の角度を変えて、ユーザに警告する。その変化の仕方は、手振れの度合いによって、速度を変える。図４（ｂ）は、被写体Ａ１の３Ｄ深度が時間と共に変動し、ユーザに警告を行なう様子を示す。
【００４７】
本実施形態の撮影装置によれば、ユーザの意図した画像を撮影するために、カメラを固定させる必要があることを注意喚起することで、撮影を確実に行なわせることが可能となる（ユーザが注意喚起を守ることにより、意図した画像をとることが可能となる）。
【００４８】
また、本実施形態の撮影装置は、ユーザ操作（調整）によって、測距点を増減させる。図５は、ユーザが画面を上下にフリックし、測距ポイントを増減させることにより、調整部分の大きさを変化させる場合の説明図である。
【００４９】
図５（ａ）は、オートフォーカス前のプレビューイメージ、図５（ｂ）は、オートフォーカス後のプレビューイメージである。図５（ａ）において、図２（ａ）と同様に、被写体Ａ１，Ａ２はユーザからみて同じ距離にあり、被写体Ｂ１，Ｂ２はその手前にあり、被写体Ｃは更にその手前にある。
【００５０】
次に、中心ポイントの被写体Ａ１をフォーカスポイントとして、シャッターを半押しにすると、オートフォーカスおよび自動露出が行なわれ、ピントのボケ具合を判断し、図５（ｂ）に示すように、そのボケ具合を３Ｄ効果によりユーザに表現する。
【００５１】
次に、液晶表示画面を下フリックすることにより、図５（ｃ）に示すように、被写体Ａ２，Ｂ１が被写体Ｄにまとめられ、被写体Ｂ２，Ｃが被写体Ｅにまとめられ、ユーザの調整ポイントを大ぐくりする。また、上フリックではその逆に測距ポイントを増加させ、調整部分の大きさを細分する。
【００５２】
本実施形態の撮影装置によれば、測距点を増やすことで、撮影画像を分割した部分毎にボケの程度を調整することが可能となる。一方、測距点を減らすことで、大まかにボケの程度を設定することが可能となり、ユーザに設定の自由度を提供することが可能となる。
【００５３】
図６は、本発明の実施形態にかかるライブビュー画像表示方法を説明するためにフローチャートである。ユーザが撮影を開始する場合、シャッター操作を検出し（ステップＳ６０１）、シャッターの半押しが検出された場合、液晶表示画面の中心点でのオートフォーカス（ＡＦ）／自動露出（ＡＥ）が行われる（ステップＳ６０３）。一方、ステップＳ６０１において、シャッターの全押しが検出されると即座にシャッターが切れ、撮影が行われる（ステップＳ６３１）。
【００５４】
次に、液晶表示画面の中心点以外の他ポイントでの距測が行われ（ステップＳ６０５）、各ポイントのボケ量を決定する（ステップＳ６０７）。そして、ボケ量に応じて３Ｄ画像を合成／表示する（ステップＳ６０９）。
【００５５】
続いて、シャッター操作が検出され（ステップＳ６１１）、シャッターの全押しが検出された場合は、合焦してシャッターが切られ、撮影が行われる（ステップＳ６３１）。一方、シャッターのリリースを検出した場合は、画面操作が検出され（ステップＳ６１３）、フリックが検出された場合に絞り値（Ｆ値）が変更される（ステップＳ６１５）。
【００５６】
一方、ステップＳ６１３において、フリック以外の画面操作が検出された場合は、他の操作が判断され（ステップＳ６１７）、液晶表示画面の中心枠のタッチが検出された場合に、絞り値（Ｆ値）固定のまま、各ポイントの距離差分が最小となるフォーカス点を算出し、フォーカス点を移動する（ステップＳ６１９）。
【００５７】
また、ステップＳ６１７において、中心枠のタッチ以外の操作が検出された場合は、更に操作が判断され（ステップＳ６２１）、液晶表示画面の他点のタッチが検出された場合に、絞り値（Ｆ値）固定のままタッチ箇所にフォーカス点を移動する（ステップＳ６２３）。
【００５８】
次に、各ポイントのボケ量を決定し（ステップＳ６２５）、ボケ量に応じて３Ｄ画像を合成／表示する（ステップＳ６２７）。そして、シャッター操作が検出され（ステップＳ６２９）、シャッターの半押しが検出された場合は、ステップ６０３に戻り、最初からやり直す。また、シャッターの全押しが検出された場合は、調整してシャッターを切り、撮影が行われる（ステップＳ６３１）。一方、シャッター操作が、全押しおよび半押し以外の操作である場合は、ステップＳ６１３に戻り、調整を継続する。
【００５９】
以上説明したように、本実施形態にかかる撮影装置およびライブビュー画像表示方法によれば、複数のポイントの距離を測定し、それが合焦ポイントを基準とした被写界深度に入っているかを明瞭に認識でき、また外れている場合は、そのはずれ程度に応じて、３Ｄの深さを変化させることにより、ユーザの意図する写真を容易に写すことができる。
【産業上の利用可能性】
【００６０】
本発明は、３Ｄレンズを搭載したカメラを用いて、フォーカス点およびボケ具合を連携させながら、ユーザの意図する写真を容易に写すことができる撮影装置およびライブビュー画像表示方法として利用可能である。
【符号の説明】
【００６１】
１０１  ＬＣＤ
１０２  タッチパネル
１０３  レンズ
１０４  ＡＥ制御部
１０５  ＡＦ制御測距制御部
１０６  測距点距離記憶部
１０７  測距数制御部
１０８  全体制御部
１０９  被写界深度演算部
１１０  タッチジェスチャ解読部
１１１  ３Ｄ画像生成部
１１２  絞り限界値テーブル
１１３  シャッター操作部
７０１  表示部
７０２  インジケータ
７０３  文字情報
８０１，８０４，８０５，８０９  合焦ポイント
８０２，８０７  ＬＣＤ画面
８０３，８０８  背景
８０６  合焦エリア
【図１】
2012203352.tif 000003
【図２】
2012203352.tif 000004
【図３】
2012203352.tif 000005
【図４】
2012203352.tif 000006
【図５】
2012203352.tif 000007
【図６】
2012203352.tif 000008
【図７】
2012203352.tif 000009
【図８】
2012203352.tif 000010